(57)【特許請求の範囲】
【請求項１】
洋風便器上に設けられて中央にＯ字状又はＵ字状の開口が形成された便座上に載置され、着座面を該便座よりも高くする補高便座において、
前記便座上に当接し得る本体部と、該本体部の内縁又は外縁から前記便座側に延在する側壁部と、該本体部又は該側壁部に付勢力を付与する付勢手段とを備え、
前記本体部は、各々半円状をなし、各々の一端が互いに揺動可能に結合された一対の弧状体からなり、両該弧状体を互いに離れる方向又は近づく方向に付勢する前記付勢手段の付勢力により該便座の内縁又は外縁に押圧固定されることを特徴とする補高便座。
【請求項２】
前記側壁部から前記便座の裏面側に延在し、前記本体部とともに該便座を挟持可能な裏壁部を備えている請求項１記載の補高便座。
【請求項３】
前記裏壁部は、前記便座の裏面と平行な方向に揺動可能に前記側壁部に軸支された複数のアームである請求項２記載の補高便座。
【請求項４】
前記裏壁部は、弾性変形によって前記便座の裏面側に延在する複数のアームである請求項２記載の補高便座。
【請求項５】
前記付勢手段は、バネ、ゴムその他の弾性体である請求項１乃至４のいずれか１項記載の補高便座。
【発明の詳細な説明】
【技術分野】
【０００１】
本発明は補高便座に関する。
【背景技術】
【０００２】
特許文献１に従来の補高便座が開示されている。この補高便座は、クッション性のある軟質材料からなる一体成形品であり、着座面を形成する本体部と、本体部の裏面の内縁側から下方に垂設されるフランジとを有する。
【０００３】
このような構成である従来の補高便座は、洋風便器上に設けられて中央にＯ字状又はＵ字状の開口が形成された便座上に載置され、着座面を便座よりも高くする。この際、補高便座は、フランジが便座の開口の内縁に当接し、便座に対して位置決め固定される。
【０００４】
このため、この補高便座は、例えば、老人、病人又は身障者等の弱者が洋風便器を使用する際の介護に利用される。そして、この補高便器は、洋風便器に腰掛けたり、洋風便器から立ち上がる際の動作を容易にしたり、座り心地を良くしたりして、洋風便器の使用時の快適性を向上させることができる。
【０００５】
【特許文献１】特許３５９７０９３号公報
【発明の開示】
【発明が解決しようとする課題】
【０００６】
しかし、上記従来の補高便座は、特定の大きさのフランジが本体部に一体成形されているものであるため、補高便座のフランジが当接可能な大きさの開口が形成された便座に装着された場合にしか、便座に対して位置決め固定されない。一方、便座には、使用者の体格等に応じ、一般に大型、標準及び共用のものが存在し、これらは開口に大小を有している。
【０００７】
このため、補高便座を購入しようとする者は、使用している便座に適合したフランジをもつ補高便座を購入しなければならない。仮に便座に適合していないフランジをもつ補高便座を購入してしまった場合には、便座の開口の大きさと補高便座のフランジの大きさとが一致せず、フランジと開口の内縁との間にガタが生じてしまうという不具合が生じることが多かった。この場合、老人等の弱者は着座の姿勢が安定せず、危険でもある。この不具合には、介護用途に利用される補高便座の性質上、洋風便器の付属品として洋風便器と同時に購入されることが少ないという事情も影響している。
【０００８】
また、メーカとしては、便座の種類に応じた補高便座を用意しなければならず、製造コストの高騰化を生じてしまう。
【０００９】
本発明は、上記従来の実情に鑑みてなされたものであって、使用者が様々な大きさの開口を有する便座に対して使用しても安定して着座でき、メーカにとっても製造コストの高騰化を生じない補高便座を提供することを解決すべき課題としている。
【課題を解決するための手段】
【００１０】
本発明の補高便座は、洋風便器上に設けられて中央にＯ字状又はＵ字状の開口が形成された便座上に載置され、着座面を該便座よりも高くする補高便座において、
前記便座上に当接し得る本体部と、該本体部の内縁又は外縁から前記便座側に延在する側壁部と、該本体部又は該側壁部に付勢力を付与する付勢手段とを備え、
前記本体部は、各々半円状をなし、各々の一端が互いに揺動可能に結合された一対の弧状体からなり、両該弧状体を互いに離れる方向又は近づく方向に付勢する前記付勢手段の付勢力により該便座の内縁又は外縁に押圧固定されることを特徴とする。
【００１１】
このような構成である本発明の補高便座は便座上に載置され、着座面を便座よりも高くする。このため、この補高便座は、例えば、老人、病人又は身障者等の弱者が洋風便器を使用する際の介護に利用され、使用者が洋風便器に腰掛けたり、洋風便器から立ち上がる際の動作を容易にしたり、座り心地を良くしたりして、洋風便器の使用時の快適性を向上させることができる。
【００１２】
ここで、本発明の補高便座は、便座上に載置される際、下記のようにして位置決め固定のための調整が実施される。ここでは、補高便座が便座上に当接し得る本体部と、本体部の内縁から便座側に延在する側壁部と、本体部に付勢力を付与する付勢手段とを備えており、本体部が各々半円状をなし、各々の一端が互いに揺動可能に結合された一対の弧状体からなり、付勢手段が両弧状体を互いに離れる方向に付勢することにより便座の内縁に押圧固定される場合について説明する。
【００１３】
補高便座が載置される便座には、使用者の体格等に応じ、一般に大型、標準及び共用のものが存在し、これらは開口に大小を有している。このため、まず、便座の中央に形成されたＯ字状又はＵ字状の開口に、補高便座の側壁部を挿入する。この際、付勢手段を一時的に付勢力を発揮しない状態として、本体部である両弧状体を互いに近づく方向に変位させた上で、便座の開口に補高便座の側壁部を挿入する。こうすることで、側壁部と便座の内縁との間に隙間を生じさせ、側壁部を開口に挿入することを容易に実施できる。これにより本体部は便座上に当接し、側壁部は便座の内縁に対面することとなる。
【００１４】
次に、付勢手段が両弧状体を互いに離れる方向に付勢することにより、側壁部が便座の内縁に押圧固定される。その結果、補高便座の便座に対するガタを小さくしつつ、補高便座を便座に対して位置決め固定することができる。こうして、この補高便座は、開口に大小を有する各種の便座に対して、位置決め固定することが可能である。
【００１５】
このため、補高便座を購入しようとする者は、使用している便座に適合したフランジをもつ補高便座を購入しなくてもよい。また、補高便座の便座に対するガタを小さくできるので、老人等の弱者は着座の姿勢が安定し、安全に利用できる。
【００１６】
また、メーカとしては、便座の種類に応じた補高便座を用意しなくてもよくなり、製造コストの高騰化を生じない。
【００１７】
補高便座が便座上に当接し得る本体部と、本体部の外縁から便座側に延在する側壁部と、本体部又は側壁部に付勢力を付与する付勢手段とを備え、本体部が各々半円状をなし、各々の一端が互いに揺動可能に結合された弧状体からなり、付勢手段が両弧状体を互いに近づく方向に付勢するものである場合も同様である。
【００１８】
したがって、本発明の補高便座は、使用者が様々な大きさの開口を有する便座に対して使用しても安定して着座でき、メーカにとっても製造コストの高騰化を生じない。
【００１９】
補高便座を構成する材料としては、ゴム、エラストマー、発泡ポリウレタン樹脂、軟質塩ビ樹脂その他の軟質材料、ＡＢＳ樹脂、ＰＰ樹脂その他の硬質材料等の一般的なものを採用可能である。軟質材料からなる補高便座の場合、クッション性や臀部の形状への追従性が高いので、着座の際の感触を快適にすることができる。
【００２７】
本発明の補高便座において、前記側壁部から前記便座の裏面側に延在し、前記本体部とともに該便座を挟持可能な裏壁部を備えていることが好ましい。この場合、補高便座を便座に一層確実に位置決め固定することができる。
【００２８】
本発明の補高便座において、前記裏壁部は、前記便座の裏面と平行な方向に揺動可能に前記側壁部に軸支された複数のアームであり得る。
【００２９】
この場合、予め、側壁部に軸支された複数のアームを揺動させて、便座の裏面側に延在しない状態としておくことにより、便座の開口に補高便座の側壁部を挿入することを容易に実施できる。また、側壁部が便座の開口に挿入された後に、各アームを揺動させて、便座の裏面側に延在する状態をすることにより、各アームと本体部とが便座を挟持することができる。
【００３０】
本発明の補高便座において、前記裏壁部は、弾性変形によって前記便座の裏面側に延在する複数のアームであり得る。
【００３１】
この場合、便座の開口に補高便座の側壁部を挿入する際に、各アームが便座の裏面側に延在しない状態となるように弾性変形することにより、壁部を開口に挿入することを容易に実施できる。また、側壁部が便座の開口に挿入された後に、各アームが便座の裏面側に延在する状態となるように元の形状に弾性変形することにより、各アームと本体部とが便座を挟持することができる。
【００３２】
本発明の補高便座において、付勢手段は、上述の作用を奏することが可能であればよく、具体的な手段は限定されない。
【００３３】
例えば、本発明の補高便座において、前記付勢手段は、バネ、ゴムその他の弾性体であり得る。
【００３４】
これらの場合、本発明の補高便座は、付勢力を確実に発揮することができるので、本発明の効果を一層確実に奏することができる。
【発明を実施するための最良の形態】
【００３５】
以下、本発明を具体化した実施例１及び参考例１〜４を図面を参照しつつ説明する。
＜参考例１＞
【実施例１】
【００３６】
図１に示すように参考例１の補高便座１は、洋風便器９０上に設けられて中央にＯ字状の開口９１ａが形成された便座９１上に載置されるものである。
【００３７】
補高便座１は、図２〜図４に示すように、本体部１１、側壁部１３、Ｕ字状ばね１５及び裏壁部１６を備えている。
【００３８】
本体部１１は、後方側が開いたＵ字状をなしており、表面が着座面１２とされている。また、本体部１１の裏面１４は、便座９１上に当接し得るように平面とされている。
【００３９】
側壁部１３は、本体部１１の内縁から便座９１側、つまり下方側に延在するものであり、本体部１１の内縁に沿ってＵ字状をなしている。
【００４０】
Ｕ字状ばね１５は、バネ鋼材がＵ字状に曲げられたものであり、側壁部１３内に埋設されている。このＵ字状ばね１５が側壁部１３に付勢力を付与する付勢手段であり、後述する通り、側壁部１３を便座９１の内縁９１ｂに押圧する方向に付勢するように作用する。
【００４１】
裏壁部１６は、側壁部１３の底部から外周側に向かって水平方向に延在するものであり、後述する通り、本体部１１の裏面１４とともに便座９１を挟持可能とされている。
【００４２】
このような構成である補高便座１は、例えば、成形金型（図示しない）のキャビティ内の所定の位置にＵ字状ばね１５が配置された後、キャビティ内にクッション性のある軟質材料である熱可塑性エラストマーが注入されることにより一体成形される。
【００４３】
そして、補高便座１は便座９１上に載置され、着座面１２を便座９１よりも高くする。このため、この補高便座１は、例えば、老人、病人又は身障者等の弱者が洋風便器９０を使用する際の介護に利用され、使用者が洋風便器９０に腰掛けたり、洋風便器９０から立ち上がる際の動作を容易にしたり、座り心地を良くしたりして、洋風便器９０の使用時の快適性を向上させることができている。
【００４４】
ここで、参考例１の補高便座１は、便座９１上に載置される際、下記のようにして位置決め固定のための調整が実施される。
【００４５】
補高便座１が載置される便座９１には、使用者の体格等に応じ、一般に大型、標準及び共用のものが存在し、これらは開口９１ａに大小を有している。このため、最初に、図５に示すように、便座９１の中央に形成された開口９１ａの前後方向の長さＬ１及び幅Ｗ1を確認する。
【００４６】
次に、図６に示すように、補高便座１の本体部１１の後方側の開いた部分を近づけるように押して、弾性変形させる。この際、埋設されたＵ字状ばね１５も押されて、一時的に付勢力を発揮しない状態となる。その結果、補高便座１において、裏壁部１６の外周縁の前後方向の長さＬ２及び幅Ｗ2は、便座９１の開口９１ａの前後方向の長さＬ１及び幅Ｗ1よりも小さくされる。
【００４７】
この状態で、図７（ａ）に示すように、便座９１の上方から開口９１ａに側壁部１３及び裏壁部１６を挿入することにより、図７（ｂ）に示すように、本体部１１の裏面１４が便座９１上に当接し、側壁部１３が便座９１の内縁９１ｂに対面することとなる。この際、側壁部１３と便座９１の内縁９１ｂとの間に隙間を生じているので、側壁部１３を開口９１ａに挿入することを容易に実施することができている。
【００４８】
そして、図７（ｃ）に示すように、補高便座１の本体部１１の変形を解除することにより、側壁部１３に設けられたＵ字状ばね１５が付勢力を発揮する状態となる。そして、Ｕ字状ばね１５が側壁部１３に付勢力を付与することにより、側壁部１３が便座９１の内縁９１ｂに押圧固定される。この際、裏壁部１６は、便座９１の裏面側に移動し、本体部１１の裏面１４とともに便座９１を挟持することとなる。その結果、補高便座１の便座９１に対するガタを小さくしつつ、補高便座１を便座９１に対して位置決め固定することができる。こうして、この補高便座１は、開口９１ａに大小を有する各種の便座９１に対して、位置決め固定することが可能となっている。
【００４９】
このため、補高便座１を購入しようとする者は、使用している便座９１に適合したフランジをもつ補高便座を購入しなくてもよい。また、補高便座１の便座９１に対するガタを小さくできるので、老人等の弱者は着座の姿勢が安定し、安全に利用できる。
【００５０】
また、メーカとしては、便座９１の種類に応じた補高便座を用意しなくてもよくなってなり、製造コストの高騰化を生じない。
【００５１】
したがって、参考例１の補高便座１は、使用者が様々な大きさの開口を有する便座に対して使用しても安定して着座でき、メーカにとっても製造コストの高騰化を生じない。
【００５２】
また、この補高便座１は、側壁部１３から便座９１の裏面側に延在し、本体部１１とともに便座９１を挟持可能な裏壁部１６を備えていることから、補高便座１を便座９１により確実に位置決め固定することができている。
【００５３】
さらに、この補高便座１において、付勢手段がバネ鋼材製のＵ字状バネ１５であることから、付勢力を確実に発揮することができており、本発明の効果を一層確実に奏することができている。
＜実施例１＞
【実施例２】
【００５４】
実施例１の補高便座２は、参考例１の補高便座１の本体部１１及び付勢手段としてのＵ字状ばね１５の代わりに、図８に示すように、本体部２１１及び付勢手段としての線細工ばね２１５を採用している。その他の構成は参考例１の補高便座１と同様であるので、説明は省く。
【００５５】
本体部２１１は、各々の前端が互いに揺動可能となるように、各々の後端が軸部７０によって結合された一対の弧状体２１１ａ、２１１ｂからなる。
【００５６】
線細工ばね２１５は、軸部７０の近傍に配置され、両端が弧状体２１１ａ、２１１ｂに固定されることにより、両弧状体２１１ａ、２１１ｂを互いに離れる方向に付勢するものである。
【００５７】
このような構成である実施例１の補高便座２も、図９に示すように、両弧状体２１１ａ、２１１ｂの前端側を押して、各々の前端が近づく方向に変位させることができる。その結果、この補高便座２において、裏壁部１６の外周側の前後方向長さＬ３及び幅Ｗ３は、便座９１の開口９１ａの前後方向の長さＬ１及び幅Ｗ1よりも小さくされる。このため、この補高便座２も、側壁部１３及び裏壁部１６を便座９１の開口９１ａに挿入することに容易に実施できる。
【００５８】
そして、補高便座２が便座９１上に載置された後は、線細工ばね２１５が両弧状体２１１ａ、２１１ｂを互いに離れる方向に付勢することにより、側壁部１３が便座９１の内縁９１ｂに押圧固定される。このため、この補高便座２も、参考例１の補高便座１と同様の効果を奏することができている。
＜参考例２＞
【実施例３】
【００５９】
参考例２の補高便座３は、参考例１の補高便座１の側壁部１３、側壁部１３に埋設される付勢手段としてのＵ字状ばね１５及び裏壁部１６の代わりに、図１０〜図１２に示すように、側壁部３１３及び付勢手段としての袋体３１５を採用している。その他の構成は参考例１の補高便座１と同様であるので、説明は省く。
【００６０】
側壁部３１３は、本体部１１の内縁から便座９１側に延在するものであり、本体部１１の内縁に沿ってＵ字状をなしている。そして、側壁部３１３の外周側の側面に沿って、袋体３１５が配設されている。
【００６１】
袋体３１５は、内部に水を封入可能な弾性チューブからなり、封入される水の量を増減させることにより、膨張又は収縮させることが可能とされている。
【００６２】
このような構成である参考例２の補高便座３は、図１２に示すように、参考例１の補高便座１の裏壁部１６のような突出物がないので、袋体３１５を収縮させた状態とすることにより、側壁部３１３及び袋体３１５を便座９１の開口９１ａに挿入することに容易に実施できる。
【００６３】
そして、補高便座３が便座９１上に載置された後、図１３に示すように、袋体３１５を膨張させることにより、袋体３１５が付勢力を発揮する状態となる。そして、袋体３１５が便座９１の内縁９１ｂを押圧する方向に付勢することにより、側壁部３１３が便座９１の内縁９１ｂに袋体３１５を介して押圧固定される。この際、袋体３１５の下方が便座９１の裏面側に移動するように膨張し、本体部１１の裏面１４とともに便座９１を挟持することができる。その結果、補高便座３の便座９１に対するガタを小さくしつつ、補高便座３を便座９１に対して位置決め固定することができる。このため、この補高便座３も、参考例１の補高便座１と同様の効果を奏することができている。
＜参考例３＞
【実施例４】
【００６４】
参考例３の補高便座４は、参考例１の補高便座１の裏壁部１６の代わりに、図１４及び図１５に示すように、裏壁部としての複数のアーム４１６を採用している。その他の構成は参考例１の補高便座１と同様であるので、説明は省く。
【００６５】
複数のアーム４１６は、側壁部１３の底面に所定の間隔を有して軸支されており、図１６に示すように、便座９１の裏面と平行な方向に揺動可能とされている。
【００６６】
このような構成である参考例３の補高便座４は、予め、側壁部１３に軸支された複数のアーム４１６を揺動させて、図１６に示すように、便座９１の裏面側に延在しない状態としておくことにより、便座９１の開口９１ａに補高便座４の側壁部１３を挿入することを容易に実施できる。また、側壁部１３が便座９１の開口９１ａに挿入された後に、各アーム４１６を揺動させて、便座９１の裏面側に延在する状態とすることにより、各アーム４１６と本体部１１とが便座９１を挟持することができる。このため、この補高便座４も、参考例１の補高便座１と同様の効果を奏することができている。
＜参考例４＞
【実施例５】
【００６７】
参考例４の補高便座５は、参考例１の補高便座１の側壁部１３、付勢手段としてのＵ字状ばね１５及び裏壁部１６の代わりに、図１７〜図１９に示すように、側壁部５１３、付勢手段としてのＵ字状ばね５１５及び裏壁部としての複数のアーム５１６を採用している。そして、この補高便座５は、Ｕ字状の本体部１１を拡げるように変形させて、便座９１に載置し、位置決め固定するものである。その他の構成は参考例１の補高便座１と同様であるので、説明は省く。
【００６８】
側壁部５１３は、本体部１１の外縁から便座９１側、つまり下方側に延在するものであり、本体部１１の外縁に沿ってＵ字状をなしている。
【００６９】
Ｕ字状ばね５１５は、バネ鋼材がＵ字状に曲げられたものであり、側壁部５１３内に埋設されている。このＵ字状ばね５１５が側壁部５１３に付勢力を付与する付勢手段であり、側壁部５１３を便座９１の外縁に押圧する方向に付勢するように作用する。
【００７０】
複数のアーム５１６は、側壁部５１３の底面に所定の間隔を開けて配設される略「Ｊ」字断面の弾性体である。各アーム５１６は、略「Ｊ」字の下側端部が弾性変形によって便座９１の裏面側に延在可能とされており、便座９１の外周面と当接する際には、外周面から逃げる方向に弾性変形するようになっている。
【００７１】
このような構成である参考例４の補高便座５は、補高便座５の本体部１１の後方側の開いた部分を離すように拡げることにより、容易に便座９１に載置することができる。そして、本体部１１の変形を解除することにより、Ｕ字状ばね５１５が付勢力を発揮する状態となる。そして、Ｕ字状ばね５１５が側壁部５１３に付勢力を付与することにより、側壁部５１３が便座９１の外縁に押圧固定される。この際、複数のアーム５１６は、図２０（ａ）に示すように、一端、便座９１の外周面に当接し、外周面から逃げるように弾性変形した後、図２０（ｂ）に示すように、便座９１の裏面側に延在する状態となるように元の形状に弾性変形する。このため、各アーム５１６は、本体部１１ともに便座９１を挟持することができる。このため、この補高便座５も、参考例１の補高便座１と同様の効果を奏することができている。
【００７２】
以上において、本発明を実施例１及び参考例１〜４に即して説明したが、本発明は上記実施例１及び参考例１〜４に制限されるものではなく、その趣旨を逸脱しない範囲で適宜変更して適用できることはいうまでもない。
＜産業上の利用可能性＞
【産業上の利用可能性】
【００７３】
本発明は補高便座に利用可能である。
【図面の簡単な説明】
【００７４】
【図１】参考例１の補高便座及び補高便座が載置される洋風便器の斜視図である。
【図２】参考例１の補高便座の概略断面図である。
【図３】参考例１の補高便座の下面図である。
【図４】参考例１の補高便座に係り、図２のＡ−Ａ断面図である。
【図５】参考例１の補高便座に係り、補高便座が載置される洋風便器の便座の拡大斜視図である。
【図６】参考例１の補高便座に係り、変形状態を示す下面図である。
【図７】参考例１の補高便座に係り、洋風便器に位置決め固定する手順を示す図５のＤ−Ｄ断面図である。
【図８】実施例１の補高便座の下面図である。
【図９】実施例１の補高便座に係り、変形状態を示す下面図である。
【図１０】参考例２の補高便座の概略断面図である。
【図１１】参考例２の補高便座の下面図である。
【図１２】参考例２の補高便座に係り、図１０のＢ−Ｂ断面図である。
【図１３】参考例２の補高便座に係り、洋風便器に位置決め固定した状態を示す概略断面図である。
【図１４】参考例３の補高便座の概略断面図である。
【図１５】参考例３の補高便座の下面図である。
【図１６】参考例３の補高便座に係り、アームを揺動させた状態を示す下面図である。
【図１７】参考例４の補高便座の概略断面図である。
【図１８】参考例４の補高便座の下面図である。
【図１９】参考例４の補高便座に係り、図１７のＣ−Ｃ断面図である。
【図２０】参考例４の補高便座に係り、洋風便器に位置決め固定する手順を示す概略断面図である。
【符号の説明】
【００７５】
１、２、３、４、５…補高便座
１１、２１１…本体部
１２…着座面
１３、３１３、５１３…側壁部
１５、２１５、３１５…付勢手段（１５…Ｕ字状ばね、２１５…線細工ばね、３１５…袋体）
１６、４１６、５１６…裏壁部（４１６、５１６…アーム）
２１１ａ、２１１ｂ…弧状体
９０…洋風便器
９１…便座
９１ａ…開口
９１ｂ…便座の内縁
【図１】
0004420893.tif 000002
【図２】
0004420893.tif 000003
【図３】
0004420893.tif 000004
【図４】
0004420893.tif 000005
【図５】
0004420893.tif 000006
【図６】
0004420893.tif 000007
【図７】
0004420893.tif 000008
【図８】
0004420893.tif 000009
【図９】
0004420893.tif 000010
【図１０】
0004420893.tif 000011
【図１１】
0004420893.tif 000012
【図１２】
0004420893.tif 000013
【図１３】
0004420893.tif 000014
【図１４】
0004420893.tif 000015
【図１５】
0004420893.tif 000016
【図１６】
0004420893.tif 000017
【図１７】
0004420893.tif 000018
【図１８】
0004420893.tif 000019
【図１９】
0004420893.tif 000020
【図２０】
0004420893.tif 000021